(57)【要約】【課題】明色系の色のシートであっても、暗色系の色のシートであっても、さらに排紙トレイ上にユーザの視線を遮るような障害物があっても、排紙トレイ上のシートの有無をユーザが容易に認識することができるようなシート搬送装置を提供する。【解決手段】原稿排出トレイ３３の原稿Ｍを受け取る原稿受取面３３ａは、略矩形状であり、明色領域Ｌと暗色領域Ｄを備え、その境界線Ｂは、原稿受取面３３ａのユーザから見て手前の辺から、排出された原稿Ｍが載置される位置まで連続している。【選択図】図４
2008273661.tif 000002
【特許請求の範囲】
【請求項１】
その内部から外部へとシートが通過可能な排出口を有する筐体と、
上記筐体内でシートを搬送し、上記排出口からシートを上記筐体外に排出する搬送部と、
上記排出口から排出されたシートを受け取る受取面を有するシート排出トレイと、を備え、
上記受取面は、ユーザの左右方向に延びる二辺を有する略矩形であると共に、暗色系の色に彩色された暗色領域と、明色系の色に彩色された明色領域とを、少なくとも１つずつ備えると共に、上記暗色領域と明色領域とが互いに接する境界線を有しており、
上記境界線は、上記受取面の矩形状の上記二辺のうち、ユーザに近い方の一辺から上記受取面上のシートが載置される位置まで連続しているシート搬送装置。
【請求項２】
ユーザの左右方向に延びる上記二辺は、上記排出口からシート排出トレイに向かうシートの移動方向と平行に配される請求項１に記載のシート搬送装置。
【請求項３】
上記筐体は、その外部から内部へとシートが通過可能な搬入口を備え、
上記搬入口から上記筐体内へと搬入されるシートが載置される載置面を有するシート載置トレイをさらに備え、
上記シート排出トレイは、上記シート載置トレイの下方に配される請求項１又は２に記載のシート搬送装置。
【請求項４】
上記シート排出トレイを２以上備え、
上記シート排出トレイは、互いに上下方向に並べて配される請求項１〜３のいずれか１項に記載のシート搬送装置。
【請求項５】
用紙上に画像を形成する画像形成装置であって、
画像形成後の用紙が、その内部から外部へと通過可能な排出口を有する筐体と、
上記筐体内で用紙を搬送し、上記排出口から用紙を上記筐体外に排出する搬送部と、
上記排出口から排出された用紙を受け取る受取面を備えた排紙トレイと、を備え、
上記受取面は、ユーザの左右方向に延びる二辺を有する略矩形であると共に、暗色系の色に彩色された暗色領域と、明色系の色に彩色された明色領域とを、少なくとも１つずつ備えると共に、上記暗色領域と明色領域とが互いに接する境界線を有しており、
上記境界線は、上記受取面の矩形状の上記二辺のうち、ユーザに近い方の一辺から上記受取面上で搬送後の用紙が位置する領域に達するまで連続している画像形成装置。
【請求項６】
原稿上の画像を読み取り、上記画像を用紙上に形成する画像形成装置であって、
画像が読み取られた後の原稿が、その内部から外部へと通過可能な排出口を有する筐体と、
上記筐体内で原稿を搬送し、上記排出口から原稿を上記筐体外に排出する搬送部と、
上記排出口から排出された原稿を受け取る受取面を備えた排紙トレイと、を備え、
上記受取面は、ユーザの左右方向に延びる二辺を有する略矩形であると共に、暗色系の色に彩色された暗色領域と、明色系の色に彩色された明色領域とを、少なくとも１つずつ備えると共に、上記暗色領域と明色領域とが互いに接する境界線を有しており、
上記境界線は、上記受取面の矩形状の上記二辺のうち、ユーザに近い方の一辺から上記受取面上で搬送後の原稿が位置する領域に達するまで連続している画像形成装置。
【発明の詳細な説明】
【技術分野】
【０００１】
本発明は、シートを搬送するシート搬送装置、及びこのシート搬送装置を利用した画像形成装置に関する。
【背景技術】
【０００２】
シートを搬送するシート搬送装置を利用した装置としては、画像形成装置が広く知られている。
【０００３】
画像形成装置において、装置内部を通過した紙は、排紙トレイと呼ばれるトレイ上に排出される。例えば特許文献１には、画像形成装置において、原稿排出トレイの原稿載置面上に、原稿排出方向と平行なリブを複数設け、これらリブの周辺部のみに帯状に暗色系の色に着色された着色部を設けること等が記載されている。
【特許文献１】特開２００６−５２０７７号公報（２００６年２月２３日公開）
【発明の開示】
【発明が解決しようとする課題】
【０００４】
しかし、従来の技術では、トレイ上のシートの有無の視認しやすさは、充分に高められているとはいえず、さらなる改良が求められていた。
【０００５】
本発明は、上記従来の問題に鑑みたものであり、その目的は、ユーザがトレイ上のシートの有無をより容易に確認することができるようなシート搬送装置及びこのシート搬送装置を利用した画像形成装置を提供することにある。
【課題を解決するための手段】
【０００６】
請求項１のシート搬送装置は、その内部から外部へとシートが通過可能な排出口を有する筐体と、上記筐体内でシートを搬送し、上記排出口からシートを上記筐体外に排出する搬送部と、上記排出口から排出されたシートを受け取る受取面を有するシート排出トレイと、を備え、上記受取面は、ユーザの左右方向に延びる二辺を有する略矩形であると共に、暗色系の色に彩色された暗色領域と、明色系の色に彩色された明色領域とを、少なくとも１つずつ備えると共に、上記暗色領域と明色領域とが互いに接する境界線を有しており、上記境界線は、上記受取面の矩形状の上記二辺のうち、ユーザに近い方の一辺から上記受取面上のシートが載置される位置まで連続している構成である。
【０００７】
上記構成によると、シートは、ユーザに近い端部において、暗色領域及び明色領域の両方に接触する。よって、ユーザは、シートが明色系の色であっても暗色系の色であっても、それぞれ暗色領域及び明色領域とのコントラストによって、手前から、シートの有無を容易に視認することができる。
【０００８】
また、請求項２に記載するように、請求項１のシート搬送装置において、ユーザの左右方向に延びる上記二辺は、上記排出口からシート排出トレイに向かうシートの移動方向と平行に配されることが好ましい。
【０００９】
これによって、ユーザの右から左へ、又は左から右へ向かって、シートが搬送されることになる。ユーザにとっては、前後方向にシートが移動するよりも、左右方向にシートが移動する方が、シートの動きを視認しやすい。また、上記境界線がシートの移動方向を横切るように形成されるので、ユーザはさらにシートの有無を視認しやすいという効果を奏する。
【００１０】
また、請求項３に記載するように、請求項１又は２のシート搬送装置において、上記筐体は、その外部から内部へとシートが通過可能な搬入口を備え、上記搬入口から上記筐体内へと搬入されるシートが載置される載置面を有するシート載置トレイをさらに備え、上記シート排出トレイは、上記シート載置トレイの下方に配されることが好ましい。
【００１１】
また、請求項４に記載するように、請求項１〜３のいずれか１項に記載のシート搬送装置は、上記シート排出トレイを２以上備え、上記シート排出トレイは、互いに上下方向に並べて配されることが好ましい。
【００１２】
このようにシート排出トレイの上方に他の部材がある場合、ユーザの視線を遮られるが、本発明の構成によると、このような場合であってもユーザは手前から容易にシート排出トレイ上のシートの有無を視認することができる。
【００１３】
また、以上のシート搬送装置は、画像形成装置に適用することができる。すなわち、請求項５に記載するように、用紙上に画像を形成する画像形成装置であって、画像形成後の用紙が、その内部から外部へと通過可能な排出口を有する筐体と、上記筐体内で用紙を搬送し、上記排出口から用紙を上記筐体外に排出する搬送部と、上記排出口から排出された用紙を受け取る受取面を備えた排紙トレイと、を備え、上記受取面は、ユーザの左右方向に延びる二辺を有する略矩形であると共に、暗色系の色に彩色された暗色領域と、明色系の色に彩色された明色領域とを、少なくとも１つずつ備えると共に、上記暗色領域と明色領域とが互いに接する境界線を有しており、上記境界線は、上記受取面の矩形状の上記二辺のうち、ユーザに近い方の一辺から上記受取面上で搬送後の用紙が位置する領域に達するまで連続している画像形成装置も、本発明に含まれる。
【００１４】
また、同様に、請求項６の画像形成装置、すなわち、原稿上の画像を読み取り、上記画像を用紙上に形成する画像形成装置であって、画像が読み取られた後の原稿が、その内部から外部へと通過可能な排出口を有する筐体と、上記筐体内で原稿を搬送し、上記排出口から原稿を上記筐体外に排出する搬送部と、上記排出口から排出された原稿を受け取る受取面を備えた排紙トレイと、を備え、上記受取面は、ユーザの左右方向に延びる二辺を有する略矩形であると共に、暗色系の色に彩色された暗色領域と、明色系の色に彩色された明色領域とを、少なくとも１つずつ備えると共に、上記暗色領域と明色領域とが互いに接する境界線を有しており、上記境界線は、上記受取面の矩形状の上記二辺のうち、ユーザに近い方の一辺から上記受取面上で搬送後の原稿が位置する領域に達するまで連続している画像形成装置も、本発明に含まれる。
【発明の効果】
【００１５】
上記構成によると、シートは、ユーザに近い端部において、暗色領域及び明色領域の両方に接触する。よって、ユーザは、シートが明色系の色であっても暗色系の色であっても、それぞれ暗色領域及び明色領域とのコントラストによって、手前から、シートの有無を容易に視認することができる。
【発明を実施するための最良の形態】
【００１６】
以下、本発明について、その実施の一形態である画像形成装置を例に具体的に説明するが、本発明はこれに限定されるものではなく、自動原稿搬送機能を備えたスキャナ等、シートを搬送するシート搬送装置に広く適用可能である、また、以下では「シート」として、紙を例に説明するが、紙に代えてＯＨＰシート等を用いることもできる。
【００１７】
I.第一形態
〔１〕画像形成装置
図１は、本実施形態の画像形成装置１の外観を示す斜視図であり、図２及び図３は、画像形成装置１の内部の要部構成を示す正面図である。
【００１８】
図１及び図２に示すように、画像形成装置１は、大きくは、本体２と原稿搬送装置３とに分けられる。
【００１９】
本体２は、略直方体形状の第一ハウジング２Ｈを備え、通常の設置姿勢において第一ハウジング２Ｈ上面に設けられ、操作盤２１、プラテンガラス２２、及びコンタクトガラス２３、並びに、第一ハウジング２Ｈの側面に設けられた手差しトレイ２４、第一ハウジング２Ｈの側面のうち、手差しトレイ２４と逆の側面に設けられた用紙排出トレイ２５、第一ハウジング２Ｈ内から手差しトレイ２４に至る用紙搬入口２６、第一ハウジング２Ｈ内から用紙排出トレイ２５に至る用紙排出口２７等を備える。コンタクトガラス２３は、原稿自動送り(ADF)によって搬送された用紙を後述の読取部４が読み取る際に利用される。
【００２０】
操作盤２１は、ハードキー及び表示画面等を備え、ユーザからの指示を受け付けることができる、操作盤２１は、第一ハウジング２Ｈ上面で、上記プラテンガラス２２よりもユーザに近い位置に配される。言い換えると、操作盤２１に近い位置、つまり図１では紙面手前側が、画像形成装置１使用時のユーザの立ち位置である。すなわち、上記手差しトレイ２４は、ユーザから見て右側、用紙排出トレイ２５はユーザから見て左側に配される。
【００２１】
また、本体２は、第一ハウジング２Ｈ内に、プラテンガラス２２又はコンタクトガラス２３を通して原稿の画像を読み取り、画像データを得る読取部４、読取部４が取得した画像データに基づいて、用紙Ｐ上に画像を形成する画像形成部５、及び画像形成部５に供給される用紙Ｐを収容する給紙カセット６等を備える。
【００２２】
本体２はさらに、第一ハウジング２Ｈの内部に、原稿の画像を読み取って画像データを得る読取部４、読取部４が取得した画像データに基づいて、用紙上に画像を形成する画像形成部５、及び画像形成部５に供給される用紙を収容する給紙カセット６等を備える。
【００２３】
原稿搬送装置３は、プラテンガラス２２及びコンタクトガラス２３を覆うように、その上方に配される。原稿搬送装置３は、第二ハウジング３Ｈと、第二ハウジング３Ｈ外に設けられた原稿載置トレイ３１、原稿載置トレイ３１から第二ハウジング３Ｈ内に至る原稿搬入口３４、第二ハウジング３Ｈ内に設けられ、原稿載置トレイ３１上に載置された原稿を搬送する原稿搬送部３２、第二ハウジング３Ｈの外側かつ原稿載置トレイ３１の下側に設けられ、上記原稿搬送部３２が搬送した原稿が最終的に排出される原稿排出トレイ３３、第二ハウジング３Ｈ内から原稿排出トレイ３３に至る原稿排出口３５等を備える。なお、第二ハウジング３Ｈは、プラテンガラス２２上に載置された原稿を押さえる原稿押さえの機能も果たす。
【００２４】
原稿搬送部３２は、原稿載置トレイ３１上の原稿を、原稿搬入口３４を通して第二ハウジング３Ｈ内に引き込むピックアップローラ３２ａ、引き込まれた原稿を搬送し、最終的に原稿排出口３５を通して原稿排出トレイ３３上に排出する搬送ローラ３２ｂ群、搬送ローラ群３２ｂによって搬送中の原稿Ｍを、コンタクトガラス２３に押し付ける押圧部３２ｃ等を備える。原稿搬送部３２による原稿Ｍの搬送方向を、図２中に矢印で示す。
【００２５】
読取部４は、光源４ａ、ミラー４ｂ、ＣＣＤ４ｃ等を備え、光源４ａによってコンタクトガラス２３上を通過する原稿、又は図示しないコンタクトガラス上にユーザが載置した原稿を照明し、その反射光をミラー４ｂでＣＣＤ４ｃに導いて、ＣＣＤ４ｃで光を検知する構成となっている。
【００２６】
画像形成部５は、回転可能な感光体ドラム５１を備え、この回転方向に沿って、感光体ドラム５１を一様に帯電させる帯電部５２、帯電した感光体ドラム５１の表面に画像データに応じた光を照射することで静電潜像を描く露光部５３、この静電潜像を現像剤によって現像する現像部５４、この現像された画像を用紙Ｐ上に転写する転写部５５、熱圧着によって、転写後の用紙上に現像剤を定着させる定着部５６、及び、給紙カセット６又は手差しトレイ２４から用紙を一枚ずつ転写部５５、定着部５６に順次搬送し、最終的に用紙排出口２７を通して原稿排出トレイ２５上に排出する用紙搬送部５７等を備える。
【００２７】
用紙搬送部５７は、手差しトレイ２４から用紙搬入口２６を通して第一ハウジング２Ｈ内に用紙Ｐを引き込む手差し用紙ピックアップローラ５７ａ、給紙カセット６内の用紙Ｐを一枚ずつ引き出すカセット用紙ピックアップローラ５７ｂ、及び、その他の搬送ローラ群を備える。用紙搬送部５７による用紙の搬送方向を図３中に矢印で示す。
【００２８】
〔２〕原稿排出トレイ３３
原稿排出トレイ３３の、原稿Ｍを受け取る面、つまり、図１で上側を向く面を、原稿受取面３３ａと称する。原稿受取面３３ａの構成を図４の平面図に示す。
【００２９】
原稿受取面３３ａは、略矩形状であり、その一組の辺が、上述の立ち位置にいるユーザから見て左右の方向（図４中に二点鎖線矢印で示す方向）ｄ１と平行に、他の一組の辺が、上述の立ち位置にいるユーザから見て前後の方向（一点鎖線矢印で示す方向）ｄ２と平行になるよう配される。また、原稿Ｍは、原稿排出口３５から、図中の左側から右側へ向けて排出される（図４中に中抜き矢印で示す）。
【００３０】
原稿受取面３３ａは、暗色系の色で彩色された暗色領域Ｄと、明色系の色で彩色された明色領域Ｌとを備える。「暗色系の色」とは、通常の白用紙が暗色領域Ｄに載せられたときに、この白用紙が明瞭に視認できる色であれば良く、ブラック系、グレー系、ブラウン系、ダークブルー系、ダークグリーン系等の色相から選択できる。また「明色系の色」とは、上述の「暗色系の色」に挙げた色の用紙、又は特に印字率の高い用紙等が、明色領域に載せられたときに、明瞭に視認できる色であればよく、ホワイト系、ベージュ系、イエロー系等の色相から選択できる。
【００３１】
暗色領域Ｄと明色領域Ｌとは境界線Ｂにおいて接しており、境界線Ｂは、少なくとも、上述の左右方向に平行に配される辺のうちユーザに近い方の辺（図４中、下側の辺）から、原稿排出口３５から排出された原稿Ｍ載置される位置に至るまで、連続するように形成される。つまり、境界線Ｂは、少なくとも図４中にＥで示す範囲において、連続するように形成される。
【００３２】
境界線Ｂがこのように配されることで、原稿Ｍは、ｄ１方向に平行な辺で、ユーザに近い方の辺（ユーザから見て手前の辺）において、暗色領域Ｄ及び明色領域Ｌの両方に接するようになっている。言い換えると、境界線Ｂが、原稿Ｍのユーザから見て手前の辺と、交点Ｃを有するようになっている。
【００３３】
このような形態の一例として、本形態では特に、原稿受取面３３ａは、直線の境界線Ｂによって二分割されている。そして、原稿受取面３３ａは、原稿排出口３５に近い方から順に、暗色領域Ｄ、明色領域Ｌとなっている。さらに、境界線Ｂは前後方向ｄ２に平行である。つまり、境界線Ｂは、原稿受取面３３ａの手前の辺から前後方向ｄ２に平行に、向かい合う辺まで延びている。
【００３４】
上述したように、原稿排出トレイ３３は、原稿載置トレイ３１の下側に配されているので、ユーザからは原稿受取面３３ａは見えにくくなっている。但し、ユーザは、原稿受取面３３ａのうちユーザから見て手前の部分、つまり図４における下寄りの部分については、比較的容易に視認することができる。
【００３５】
それゆえ、図４に示すように、ユーザから見て手前から原稿に至るまで暗色領域Ｄが形成されていることで、例えば白色の原稿Ｍｗが排出されてきた場合、暗色領域Ｄの色と原稿Ｍの色とのコントラストによって、ユーザは容易に原稿Ｍの存在を認識することができる。
【００３６】
また、図５に示すように、図４に示すと同一の原稿受取面３３ａ上に暗色系の色の原稿Ｍｂが排出されても、明色領域Ｌと原稿Ｍとの色のコントラストによって、ユーザは原稿Ｍｂの存在も容易に認識することができる。
【００３７】
以上のように、本形態の原稿受取面３３ａの構成によると、原稿Ｍが、ユーザから見て手前に位置する一辺で、暗色領域Ｄ及び明色領域Ｌのどちらにも接するので、明色系の色の原稿であっても、暗色系の色の原稿であっても、ユーザは原稿の存在を容易に視認可能となる。
【００３８】
なお、本形態のように、境界線Ｂが直線である方が、それを横切る原稿Ｍをユーザが視認しやすいという効果がある。
【００３９】
また、本形態のように、境界線Ｂがユーザから見て手前の辺からその向かい合う辺にまで至る直線であることで、原稿Ｍのｄ２方向における長さに関わらず、原稿Ｍを暗色領域Ｄ及び明色領域Ｌに接触させることができ、ユーザにとっての視認しやすさを向上させるという効果を一層高めることができる。
【００４０】
また、境界線Ｂは、原稿Ｍの移動方向を横切るように形成されていることで、ユーザは原稿Ｍの動きを視認しやすいという効果を奏する。
【００４１】
なお、原稿受取面３３ａにおいて、暗色領域Ｄ及び明色領域Ｌの配置は逆になっていてもよい。
【００４２】
II.第二形態
暗色領域Ｄ及び明色領域Ｌは、第一形態のように、一箇所ずつには限られない。すなわち、境界線Ｂは１本に限られず、適宜設定可能である。境界線Ｂの本数は、特に、２本〜１０本程度の範囲内で設定されることが好ましく、２〜５本程度が好ましい。
【００４３】
以下では、境界線Ｂが複数本形成された構成、すなわち、暗色領域Ｄ及び明色領域Ｌが複数形成された構成について説明する。
【００４４】
本形態の画像形成装置は、図６に示すように、原稿受取面３３ａに代えて、境界線Ｂが複数形成されている原稿受取面３３ｂを備える以外は、第一形態の画像形成装置１と略同一の構成である。よって、既に説明した部材については、同一の符号を付してその説明を省略する。
【００４５】
本形態において、各境界線Ｂは、互いに平行かつｄ２方向に平行である。すなわち、本形態では、原稿受取面３３ｂ上で、原稿排出口３５に近い方から遠い方に向かって順に、暗色領域Ｄ、明色領域Ｌ、暗色領域Ｄ、及び明色領域Ｌがこの順に平行に並んでいる。
【００４６】
このように複数の境界線Ｂが設けられていると、原稿Ｍのｄ１方向における長さに関わらず、原稿Ｍを暗色領域Ｄ及び明色領域Ｌに接触させることができ、ユーザにとっての視認しやすさを向上させるという効果を一層高めることができる。
【００４７】
なお、原稿受取面３３ｂにおいて、暗色領域Ｄ及び明色領域Ｌの配置が逆になっていてもよいことは、第一形態で述べたとおりである。また、複数の暗色領域Ｄは、互いに同じ色であってもよいし、異なる色であってもよい。複数の明色領域Ｌについても同様である。
【００４８】
III.第三形態
第一形態において、境界線Ｂはｄ２方向に平行であったが、本発明はこれに限定されない。以下では、境界線Ｂがｄ２方向に平行な方向から外れるように形成された構成について説明する。
【００４９】
本形態の画像形成装置は、図７に示すように、原稿受取面３３ａに代えて、境界線Ｂがｄ１方向及びｄ２方向の両方向に対して平行とならないように形成されている原稿受取面３３ｃを備える以外は、第一形態の画像形成装置１と略同一の構成である。よって、既に説明した部材については、同一の符号を付してその説明を省略する。
【００５０】
具体的には、本形態において、境界線Ｂは、原稿受取面３３ｃにおいてユーザから見て手前の辺から、この辺に隣り合う辺のうち、原稿排出口３５から遠い方の辺にまで、連続して形成されている。また、この境界線Ｂより原稿排出口３５に近い方領域は暗色領域Ｄ、原稿排出口３５から遠い方の領域は明色領域Ｌとなっている。
【００５１】
なお、原稿受取面３３ｃにおいて、暗色領域Ｄ及び明色領域Ｌの配置が逆になっていてもよいことは、第一形態で述べたとおりである。
【００５２】
IV.第四形態
第二形態で述べたように、暗色領域Ｄ及び明色領域Ｌは、一箇所ずつには限られない。また、第三形態で述べたように、境界線Ｂは、ｄ２方向に平行な直線には限られない。以下では、第一形態において、境界線Ｂがｄ２方向に平行な方向から外れように、かつ複数形成された構成について説明する。
【００５３】
本形態の画像形成装置は、図８に示すように、原稿受取面３３ａに代えて、境界線Ｂが４本形成され、かつｄ１方向及びｄ２方向の両方向に対して平行とならないように形成されている原稿受取面３３ｄを備える以外は、第一形態の画像形成装置と略同一の構成である。よって、既に説明した部材については、同一の符号を付してその説明を省略する。
【００５４】
具体的には、本形態において、４本の境界線Ｂは互いに平行であり、原稿受取面３３ｄにおいてユーザから見て手前の辺から、右斜め方向、つまり原稿排出口３５から離れる方向に延びている。そして、これらの境界線Ｂを境に、原稿排出口３５に近い側から順に、暗色領域Ｄ、明色領域Ｌが交互に並べられている。
【００５５】
なお、原稿受取面３３ｄにおいて、暗色領域Ｄ及び明色領域Ｌの配置が逆になっていてもよいことは、第一形態で述べたとおりである。た、複数の暗色領域Ｄは、互いに同じ色であってもよいし、異なる色であってもよい。複数の明色領域Ｌについても同様である。
【００５６】
V.用紙排出トレイ２５
用紙排出トレイ２５は、図１及び図３に示すように、用紙排出口２７から排出された用紙Ｐを受け取る用紙受取面２５ａを備える。本体２は、第一ハウジング２Ｈの同一側面に用紙排出トレイ２５を複数備えている。この複数の用紙排出トレイ２５は、或る用紙排出トレイ２５が他の用紙排出トレイ２５の下方に位置するように配される。
【００５７】
このように、用紙排出トレイ２５の上方に他の用紙排出トレイ２５等の他の部材が配されていると、原稿排出トレイ３３と同様に、ユーザにとっては用紙の有無が視認しにくくなる。
【００５８】
そこで、この用紙受取面２５ａも、原稿受取面３３ａ〜３３ｄと同様に構成されていてもよい。すなわち、例えば、原稿受取面３３ａと同様に、暗色領域Ｄ及び明色領域Ｌを備え、その境界Ｂが上述したように一本又は複数本形成されていてもよい。この構成によって、用紙Ｐのユーザから見て手前の辺が、暗色領域Ｄ及び明色領域Ｌの両方に接触する。従って、用紙Ｐが明色系の色であろうと、暗色系の色であろうと、さらにその上に視線の障害となる部材が配されていようと、ユーザは原稿の有無を容易に視認することができる。
【００５９】
VI.参考例
図９及び図１０に、本発明の参考例である原稿排出トレイ１３３の構成を示す。
【００６０】
原稿排出トレイ１３３の原稿受取面１３３ａ及び１３３ｂは、原稿排出トレイ３３と同様、暗色領域Ｄ及び明色領域Ｌを備える。
【００６１】
しかし、図９に示す原稿受取面１３３ａにおいて、境界線Ｂは、ｄ１方向に平行に形成されている。その結果、原稿Ｍのユーザから見て手前に位置する辺は、明色領域Ｌにしか接していない。
【００６２】
また、図１０に示す原稿受取面１３３ｂにおいて、境界線Ｂはｄ１方向に平行ではないものの、原稿受取面１３３ａと同様に、原稿Ｍのユーザから見て手前に位置する辺は、明色領域Ｌにしか接していない。
【００６３】
よって、ユーザは、白色原稿Ｍｗを容易に視認することができない。なお、仮に暗色領域Ｄと明色領域Ｌとが逆の配置となっていても、ユーザは、暗っぽい色の原稿Ｍｂを容易に視認することができない
VII.その他
画像形成装置１において、原稿排出トレイ３３又は用紙排出トレイ２５の少なくとも一方が、上記I〜Vに述べた構成となっていればよい。
【００６４】
また、用紙排出トレイ２５の上方には、他の用紙排出トレイ２５でなく、手差しトレイ２４等の他の部材が配される場合がある。
【００６５】
本発明は、以上の実施形態に限定されるものではなく、特許請求の範囲において、適宜変更可能である。
【図面の簡単な説明】
【００６６】
【図１】本発明の実施の一形態に係る画像形成装置１の外観を示す斜視図。
【図２】上記画像形成装置１の内部の要部構成を示す正面図。
【図３】上記画像形成装置１の内部の他の部分の要部構成を示す正面図。
【図４】原稿排出トレイ３３の構成の一例を示す平面図。
【図５】原稿排出トレイ３３の構成の一例を示す平面図。
【図６】原稿排出トレイ３３の構成の他の例を示す平面図。
【図７】原稿排出トレイ３３の構成のさらに他の例を示す平面図。
【図８】原稿排出トレイ３３の構成のさらに他の例を示す平面図。
【図９】参考例に係る原稿排出トレイ１３３の構成を示す平面図。
【図１０】参考例に係る原稿排出トレイ１３３の他の構成を示す平面図。
【符号の説明】
【００６７】
１      画像形成装置
３      原稿搬送装置
３Ｈ    第二ハウジング（筐体）
３１    原稿載置トレイ（載置トレイ）
３２    原稿搬送部（搬送部）
３３    原稿排出トレイ（シート排出トレイ）
３３ａ  原稿受取面（受取面）
３４    原稿搬入口（搬入口）
３５    原稿排出口（排出口）
２      本体
２Ｈ    第一ハウジング（筐体）
２４    手差しトレイ（載置トレイ）
２５    用紙排出トレイ（排紙トレイ）
２５ａ  用紙受取面（受取面）
２６    用紙搬入口
２７    用紙排出口
５７    用紙搬送部（搬送部）
Ｐ      用紙
Ｍ      原稿
Ｍｗ     白色原稿
Ｍｂ     暗色系の色の原稿
Ｄ      暗色領域
Ｌ      明色領域
Ｂ      境界線
【図１】
2008273661.tif 000003
【図２】
2008273661.tif 000004
【図３】
2008273661.tif 000005
【図４】
2008273661.tif 000006
【図５】
2008273661.tif 000007
【図６】
2008273661.tif 000008
【図７】
2008273661.tif 000009
【図８】
2008273661.tif 000010
【図９】
2008273661.tif 000011
【図１０】
2008273661.tif 000012